(57)【要約】【課題】物干し竿の着脱が簡便にでき、かつ物干し竿が容易には竿受け部から脱落しない竿受け具を提供することを目的とする。また本発明は、容易に使用位置と収納位置に位置変更が可能で、かつ物干し竿を竿受けアームに保持させたままでも収納位置に変更することが可能な竿受け具を提供すること。【解決手段】支持体と、該支持体から水平方向へ延びる竿受けアームとを備え、竿受けアームには、物干し竿を支持するための竿受け部が形成されており、該竿受け部は、入口部と入口部よりも先端部側又は基端部側に設けた収納部とを備えた凹溝で形成し、かつ、前記凹溝の一方の側壁を、物干し竿を入口部から収納部へ導く傾斜面で形成すると共に、他方の側壁の上部を収納部の上方に位置させた。【選択図】  図４
2012045171.tif 000002
【特許請求の範囲】
【請求項１】
支持体と、該支持体から水平方向へ延びる竿受けアームとを備え、
竿受けアームには、物干し竿を支持するための竿受け部が形成されており、
該竿受け部は、入口部と入口部よりも先端部側又は基端部側に設けた収納部とを備えた凹溝で形成され、かつ、
前記凹溝の一方の側壁を、物干し竿を入口部から収納部へ導く傾斜面で形成すると共に、
他方の側壁の上部を収納部の上方に位置させたことを特徴とする竿受け具。
【請求項２】
竿受けアームは、その基端部において支持体に対し回動自在に軸支されて取り付けられ、
支持体又は竿受けアームには、該竿受けアームを水平方向へ延びる状態に保持可能な保持手段が備えられていることを特徴とする請求項１記載の竿受け具。
【請求項３】
竿受けアームは、支持体から水平方向へ延びる状態で保持された使用位置と、竿受けアームの先端部を上方へ回動させた収納位置とに変更自在であり、
凹溝に備えられた収納部は、入口部よりも基端部側に設けられていることを特徴とする請求項２記載の竿受け具。
【請求項４】
竿受けアームは、支持体から水平方向へ延びる状態で保持された使用位置と、竿受けアームの先端部を下方へ回動させた収納位置とに変更自在であり、
凹溝に備えられた収納部は、入口部よりも先端部側に設けられていることを特徴とする請求項２記載の竿受け具。
【発明の詳細な説明】
【技術分野】
【０００１】
本発明は、室内やベランダなどで、物干し竿を利用して洗濯物等を干す場合に、物干し竿を所定の位置に保持するための竿受け具に関するものである。
【背景技術】
【０００２】
いうまでもなく、従来から物干し竿に洗濯物を干して乾かすということが行われており、このとき、通常、物干し竿は何らかの竿受け具に保持されることによって、所定の高さ、位置に保持されている。
【０００３】
一般によく知られている竿受け具の形態の一つとして、略水平方向に延びる左右一対の竿受けアームと、当該各竿受けアームの一端部（基端部）を支持する支持部を有すると共にベランダや室内の壁面、あるいはベランダや室内等に設置された支柱部材に取り付けられる取付部を有している支持体とを備えたものがある（下記特許文献１）。
【０００４】
このような従来の竿受け具は、左右一対の竿受けアームが、支持体を介して支柱部材に取り付けられるものであり、かつその使用位置において支持体から略水平方向に延びるようになされたものである。また、この竿受けアームは、支持体に対して回動可能に取り付けられており、支持体から略水平方向に延びる使用位置と、竿受けアームを回動させ略垂直方向に延びるようにした収納位置とに変更自在となされている。
【０００５】
さらに、この竿受けアームには、物干し竿を保持する竿受け部（凹溝）が形成されており、この竿受け部に物干し竿を保持させることによって左右一対の竿受けアーム間に物干し竿を差し渡すようにし、これにより物干し具を形成して、物干し竿に洗濯物等を吊るすことができるようになされている。
【０００６】
このような従来の竿受け具によれば、容易に物干し具を形成できるのみならず、使用しない時には上記収納位置とすることでスペースの有効活用を可能とし、かつ当該スペースの美観を向上させることができる。
【先行技術文献】
【特許文献】
【０００７】
【特許文献１】意匠登録第１１４７８５７号公報
【発明の概要】
【発明が解決しようとする課題】
【０００８】
ところで、例えば上記特許文献に記載の竿受け具においては、竿受け部（凹溝）は、側面視で竿受けアームをその上端から下方に略Ｕ字状に切り欠いて形成されている。このようにすれば、竿受けアームの上方から竿受け部に物干し竿を置くようにして、あるいは竿受け部に保持させた物干し竿を上方に持ち上げるようにして、容易に物干し竿の着脱を行うことができる。
【０００９】
しかしながら、上記特許文献に記載の竿受け具では、その使用状態において、物干し竿に多くの洗濯物を吊るし、その重量が相当重くなると、物干し竿を保持する左右一対の竿受けアームが支点となり、物干し竿の中央部付近が下方へ大きく垂れ下がると共に、両端部が上方に跳ね上がることがある。このような状態になると、軽く物干し竿に触れただけで、物干し竿が容易に竿受け部から脱落する恐れが高くなる、という問題があった。
【００１０】
また、竿受けアームを使用位置から収納位置に変更する際、物干し竿を保持させたままの状態だと当該物干し竿が脱落してしまうので、必ず物干し竿を取り外さなければならない、という問題もあった。
【００１１】
本発明は、上記のような課題を解決するためになされたものであり、物干し竿の着脱が簡便にでき、かつ物干し竿が容易には竿受け部から脱落しない竿受け具を提供することを目的とする。また本発明は、容易に使用位置と収納位置に位置変更が可能で、かつ物干し竿を竿受けアームに保持させたままでも収納位置に変更することが可能な竿受け具を提供することを目的とする。
【課題を解決するための手段】
【００１２】
上記の課題を解決するため、本発明に係る竿受け具は、支持体と、該支持体から水平方向へ延びる竿受けアームとを備え、竿受けアームには、物干し竿を支持するための竿受け部が形成されており、該竿受け部は、入口部と入口部よりも先端部側又は基端部側に設けた収納部とを備えた凹溝で形成され、かつ、前記凹溝の一方の側壁を、物干し竿を入口部から収納部へ導く傾斜面で形成すると共に、他方の側壁の上部を収納部の上方に位置させたことを特徴とする。
【００１３】
ここで、前記「支持体から水平方向方向に延びる竿受けアーム」における「水平方向」は、厳密なる水平である必要はなく、洗濯物を掛けるのに適した角度になるよう、ある程度の角度を持たせた場合を含むものである。例えば、多くの洗濯物を掛け、それにより竿受けアームの先端部が下方に撓む場合を想定して、竿受けアームの基端部から先端部に向かうに従って、若干上方へ延びるようになされた形態などをも含む。
【００１４】
本発明に係る竿受け具によれば、物干し竿を上方から凹溝の入口部に落とし込むだけで、物干し竿は傾斜面を転がるようにして収納部へ導かれるので、竿受け具への物干し竿の取り付けが非常に容易である。
【００１５】
また、凹溝における収納部が入口部よりも先端部側又は基端部側に設けられ、かつ、前記凹溝の一方の側壁を、物干し竿を入口部から収納部へ導く傾斜面で形成すると共に、他方の側壁の上部を収納部の上方に位置させていることで、収納部に保持された物干し竿の上方への動きが制限される。すなわち、例えば多くの洗濯物が物干し竿に掛けられると、物干し竿を保持する左右一対の竿受けアームが支点となり、物干し竿の中央部付近が下方へ大きく垂れ下がると共に、両端部が上方に跳ね上がろうとするが、上述のように物干し竿の真上方向の動きが制限され、物干し竿が竿受け部から脱落する恐れが非常に少なくなる。
【００１６】
また、本発明に係る竿受け具において、竿受けアームは、その基端部において支持体に対し回動自在に軸支されて取り付けられ、支持体又は竿受けアームには、該竿受けアームを水平方向へ延びる状態に保持可能な保持手段が備えられているようにしてもよい。
【００１７】
このようにすれば、竿受け具の使用時には竿受け部を水平方向に延びる状態とし、使用しない時には、竿受けアームを回動させ、例えば垂直方向に延びるような状態として、スペースの有効利用を図ることができる。
【００１８】
さらに、本発明に係る竿受け具において、竿受けアームは、支持体から水平方向へ延びる状態で保持された使用位置と、竿受けアームの先端部を上方へ回動させた収納位置とに変更自在であり、凹溝に備えられた収納部は、入口部よりも基端部側に設けられているようにしてもよい。あるいは、本発明に係る竿受け具においては、竿受けアームは、支持体から水平方向へ延びる状態で保持された使用位置と、竿受けアームの先端部を下方へ回動させた収納位置とに変更自在であり、凹溝に備えられた収納部は、入口部よりも先端部側に設けられているようにすることもできる。
【００１９】
このようにすれば、竿受けアームが収納位置にある場合でも、その竿受け部において物干し竿を保持できる。それゆえ、竿受けアームを使用位置から収納位置に変更する際、物干し竿を竿受け部に保持させたままの状態で収納位置に変更することが可能であって、度々物干し竿を着脱する必要もなく、また物干し竿の収納場所を必要としない。
【発明の効果】
【００２０】
以上のとおり、本発明に係る竿受け具によれば、物干し竿を上方から凹溝の入口部に落とし込むだけで、物干し竿は傾斜面を転がるようにして収納部へ導かれるので、竿受け具への物干し竿の取り付けが非常に容易である。
【００２１】
また、凹溝における収納部が入口部よりも先端部側又は基端部側に設けられ、かつ、前記凹溝の一方の側壁を、物干し竿を入口部から収納部へ導く傾斜面で形成すると共に、他方の側壁の上部を収納部の上方に位置させていることで、収納部に保持された物干し竿の上方への動きが制限される。すなわち、例えば多くの洗濯物が物干し竿に掛けられると、物干し竿を保持する左右一対の竿受けアームが支点となり、物干し竿の中央部付近が下方へ大きく垂れ下がると共に、両端部が上方に跳ね上がろうとするが、上述のように物干し竿の真上方向の動きが制限され、物干し竿が竿受け部から脱落する恐れが非常に少なくなる。
【図面の簡単な説明】
【００２２】
【図１】本発明に係る竿受け具の一実施形態における使用状態を示す正面図である。
【図２】図１の右側面図である。
【図３】図１の平面図である。
【図４】図１に示した竿受け具の側面図である。
【図５】図４に示した竿受け具の平面図である。
【図６】図１における（ａ）はＡ−Ａ線間断面図であり、（ｂ）はＢ−Ｂ線間断面図である。
【図７】図１の実施形態において、竿受けアームを収納位置とした状態を示す側面図である。
【図８】図１に示す実施形態の竿受け具の側面図であり、竿受け部に物干し竿を保持させた状態を示す説明図である。
【発明を実施するための形態】
【００２３】
以下、本発明を実施するための形態を、図面に基づいて詳細に説明する。
【００２４】
図１〜３は、本発明に係る竿受け具１の一実施形態における使用状態を示す図であり、所定の間隔を空けて立設された２本の支柱部材７のそれぞれに竿受け具１を取り付け、当該竿受け具１に物干し竿５を保持させることにより、２本の支柱部材７間に物干し竿５を差し渡すようにして、物干し具Ｍを形成している。
【００２５】
各支柱部材７は、外パイプ７１と、外パイプ７１の内径よりもわずかに小さい外径を有し、前記外パイプ７１内に嵌挿される内パイプ７２と、任意の位置で内パイプ７２を外パイプ７１に対して固定することにより支柱部材７の長さを任意に調整するためのロック部材７３とを備えている。また、支柱部材７の上下それぞれの端部には端部キャップ８１、８２が被せられている。この支柱部材７は、その上下端部が端部キャップ８１、８２を介してそれぞれ室内やベランダの天井と床面とを押圧するように所定の長さに調整され、天井と床面との間に固定されて設置される。尚、設置場所は天井と床面との間に限られず、例えば室内の窓枠の上下枠間に固定されるようにしてもよい。
【００２６】
支柱部材７の中央よりやや高い位置に、竿受け具１が取り付けられている。この竿受け具１は、図４及び図５に示すように、支柱部材７に取り付けられた支持体２と、該支持体２を介して支柱部材７に取り付けられた竿受けアーム３とを備えている。
【００２７】
支持体２は、支柱部材７（外パイプ７１又は内パイプ７２）を挿通可能な嵌挿孔２１ａを有する嵌挿パイプ部２１を備えている。該嵌挿パイプ部２１の下端部には、その外周にねじ山２１１が形成されると共に、該嵌挿パイプ部２１を縦方向に切り欠いた切欠溝２１２が数条形成されている。また、前記ねじ山２１１に螺合可能なねじ溝が形成された締付キャップ２２を備えており、当該締付キャップ２２のねじ溝を前記ねじ山２１１に螺合させてゆくと、切欠溝２１２が形成された嵌挿パイプ部２１の下端部が縮径されるようになされ、これによって支持体２が支柱部材７に締結されるようになされている。また、これにより支持体２を支柱部材７の任意の高さ位置に取り付け可能としている。
【００２８】
また、この支持体２には、竿受けアーム３が取り付けられている。竿受けアーム３は、その基端部側の左右側壁を貫通して形成された軸孔３７と、支持体２の左右側壁を貫通して形成された軸孔２７とを貫通するように設けられた軸芯ピン４により、支持体２に対して回動可能に取り付けられている（図４及び図６参照）。これにより、この竿受けアーム３は図４に示すように支持体２から略水平方向に延びる状態にもでき、また図７に示すように垂直方向に延びる状態にすることもできるようになされている。尚、図示しないが、竿受けアーム３が図４に示す略水平方向に延びる状態に保持できるよう、竿受けアーム３又は支持体２には保持手段が設けられている。この保持手段は、任意の公知の手段を適宜選択して用いることができる。
【００２９】
竿受けアーム３は、支持体２から略水平方向に延び、物干し竿５を支持するための竿受け部３１が形成されている。竿受け部３１は、竿受けアーム３の上端面を下方に切り欠いた凹溝３１により形成されており、その上端部分である入口部３１１と、入口部３１１よりも基端部側に設けられた収納部３１２とを備えている。この凹溝３１における一方の側壁は物干し竿５を入口部３１１から収納部３１２へ導く傾斜面３１３により形成されており、入口部３１１から物干し竿５を落としこむと、物干し竿５は自ずとこの傾斜面３１３を転がって（あるいは滑って）収納部３１２へと導かれるようになされている。この実施形態においては、傾斜面３１３は、図４に示す側面視で略円弧形状となされており、凹溝３１に落とし込まれた物干し竿５がスムーズに転がるものとなっている。
【００３０】
また、凹溝３１の他方の側壁３１５は、図４の側面視で略円弧状を描きながら上方へ向かい、上部においては庇状に延びて収納部３１２の上方に位置するようになされている。この庇状に延びる庇部３１６が形成されていることで、収納部３１２に保持された物干し竿５の上方への動きが制限される。すなわち、例えば多くの洗濯物が物干し竿５に掛けられると、物干し竿５を保持する左右一対の竿受けアーム３が支点となり、物干し竿５の中央部付近が下方へ大きく垂れ下がると共に、両端部が上方に跳ね上がろうとする。しかしながら、上述のように物干し竿５の真上方向の動きが制限されるので、物干し竿５が凹溝３１から抜け、竿受け部３１から脱落するという可能性は極めて低くなる。
【００３１】
図８に示すように、この実施形態においては、凹溝３１の最下部点３１９に物干し竿５の最下部５９が載るような状態で物干し竿５は竿受け部３１に保持される。そして、この凹溝３１の最下部点３１９から、上方へ延ばした垂線Ｐ上に庇部３１６が存在するようになされている。すなわち、この庇部３１６は、竿受けアーム３の基端部側から先端部側へ、前記垂線Ｐを越えて延びるようになされており、これにより、物干し竿５の上方への動きを確実に制限できるようになされている。
【００３２】
ところで、上述のようにこの実施形態においては、竿受けアーム３は上方へ回動可能となっている。そして、竿受けアーム３を水平方向に延びるような状態として（図１〜３参照）これに物干し竿５を保持させ、洗濯物を干すようにした使用位置（図１〜図３参照）と、竿受けアーム３を回動させて略垂直に延びるような状態とした収納位置（図７参照）とに変更自在となされている。また、上述のとおり、収納部３１２が入口部３１１よりも基端部側に設けられており、基端部側から延びる庇部３１６が収納部３１２の上方に位置するようになされている。
【００３３】
これにより、例えば竿受けアーム３が使用位置にあって竿受け部３１に物干し竿５が保持させられている状態において、物干し竿５を竿受け部３１に保持させたまま、竿受けアーム３を上方へ回動させ、収納位置に変更することができる。
【００３４】
この実施形態においては、凹溝３１、すなわち竿受け部３１は一つの竿受けアーム３につき２箇所形成されているが、これに限らず一箇所、或いは３箇所以上形成するようにしてもよい。
【００３５】
また、この実施形態においては、収納部３１２が入口部３１１よりも基端部側に設けられているが、これとは異なり、収納部３１２が入口部３１１よりも先端部側に設けられるようにしてもよい。このとき、先端部側から延びる庇部３１６が収納部３１２の上方に位置するようになされていれば、やはり物干し竿５の上方への動きを制限でき、物干し竿５の竿受け部３１から脱落を防止することができる。さらに、このとき竿受けアーム３を下方に回動可能なものとすれば、物干し竿５を竿受け部３１に保持させたまま、竿受けアーム３を下方へ回動させ、収納位置に変更することができる。
【００３６】
ところで、この実施形態においては、凹溝３１よりも基端部側に、側面視において横長で竿受けアーム３の側壁を貫通するハンガー係止孔３５が形成され、このハンガー係止孔３５に衣服を掛けたハンガーなどを吊るすことができるものとなっている。
【００３７】
また、この実施形態においては、物干し竿５は、外側パイプ５１の内側に内側パイプ５２を嵌挿させて伸縮自在の物干し竿５となされており、かつ、当該物干し竿５の一端部にはフック部５３が設けられている。一方、図１に示すように、支柱部材７の上端部近傍に、Ｌ字状に突出する吊下フック８３が設けられている。これは、竿受けアーム３を使用位置から収納位置に変更する際、物干し竿５をいったん竿受けアーム３から取り外し、フック部５３を前記吊下フック８３に引っ掛けるようにして物干し竿５を吊るし、これにより収納場所を取らずに物干し竿５を収納できるようにしたものである。
【００３８】
以上、本発明に係る竿受け具について、その実施形態を例示して説明したが、本発明は、むろん上述の実施形態に限られるものではなく、本発明の趣旨を逸脱しない範囲で様々に形態等を変更することが可能なものである。
【００３９】
例えば、本発明に係る竿受け具において、竿受けアームを使用位置から左右に折り畳み若しくは回動可能なものとしてもよい。このようにすれば、当該竿受け具を使用しないときには、２本の支柱部材に取り付けられた各竿受けアームの先端部が互いに向き合う方向へ折り畳んで（或いは回動させて）、収納位置とすることができる。無論、このとき物干し竿に関しては、竿受けアームから取り外してそのフック部を支柱部材の吊下フックに引っ掛けるようにして吊るしておけばよい。
【００４０】
あるいは、上記においては、左右２本の支柱部材に取り付けるための竿受け具の実施形態を例示して説明したが、支持体を室内やベランダなどの壁面に取り付けられるような形態のものとしてもよい。
【符号の説明】
【００４１】
１    竿受け具
２    支持体
３    竿受けアーム
３１  竿受け部（凹溝）
３１１  入口部
３１２  収納部
５    物干し竿
７    支柱部材
Ｍ    物干し具
【図１】
2012045171.tif 000003
【図２】
2012045171.tif 000004
【図３】
2012045171.tif 000005
【図４】
2012045171.tif 000006
【図５】
2012045171.tif 000007
【図６】
2012045171.tif 000008
【図７】
2012045171.tif 000009
【図８】
2012045171.tif 000010